(57)【要約】【課題】  従来、銀行カード発行は銀行カードセンター経由で行われているので、顧客への郵送に一週間以上の長時間と莫大な郵便コストがかかっている。それはカード発行・管理業務が銀行カードセンターで一極集中的に行われているからである。それに顧客が銀行カード発行手続を直接行える装置は無く、また  銀行は外国旅行用カードとして、主にカード会社のクレジットカードを発行しているが、銀行独自のカードは発行して無かった。【解決手段】銀行は顧客データベース管理装置とトラベルカード  プルダウンメニューと通信・制御・処理装置で構成された通信媒体トラベルカード発行装置を設ける事により、顧客が必要な時に、何処からでも顧客の通信媒体からインターネットを介して上記カード発行装置にアクセスして、外国銀行支払カードの発行手続をして購入したカードを国内銀行や外国銀行の店舗から即時発行出きるバンキングサービスを顧客に提供できる。【選択図】図１
2007128473.tif 000002
【特許請求の範囲】
【請求項１】
国内銀行カードセンター（１）と個人顧客（３）及び法人顧客（３ａ）との間で、顧客の携帯電話やパーソナル  コンピュータやオフィス  コンピュータの通信媒体からインターネットを介して信号のやり取りする為に、或いは  上記国内銀行カードセンター（１）内に備えられたトラベルカードデータ管理装置（１Ｘ）の間でカードデータの信号の入出力を行う為のインターフェース手段（５Ｍ）と処理手段（５Ｎ）と、
国内銀行と個人顧客トラベルカード発行契約を締結した上記個人顧客（３）が、国内銀行カードセンター（１）に当該個人顧客情報を登録する為の個人顧客データ登録申込書（８）と、上記個人顧客トラベルカード発行契約を解約する為の個人顧客トラベルカード発行契約解約通知書（９）とを格納する為の個人顧客データ登録申込書・トラベルカード発行契約解約書類ファイル（５Ａ）と、
国内銀行とトラベルカードを第三者宛に発行する為の法人顧客第三者宛トラベルカード発行契約を締結した上記法人顧客（３）が、国内銀行カードセンター（１）に当該法人顧客情報を登録する為の法人顧客データ登録申込書（１０）と、登録済法人顧客データを抹消する為の法人顧客データ抹消届書（１１）と、上記法人顧客第三者宛トラベルカード発行契約を解約する為の法人顧客第三者宛トラベルカード発行契約解約通知書（１２）等を格納する為の法人顧客デーダ登録・抹消・第三者宛トラベルカード発行契約解約書類ファイル（５Ｂ）を格納する為の顧客データベース管理装置（５Ｒ）を備えた事を特徴とする通信媒体トラベルカード発行装置（５Ｙ）。
【請求項２】
上記請求項１記載の個人顧客（３）が上記国内銀行カードセンター（１）に個人顧客デーダ登録申込書により登録したカード発行手続きに必要な個人顧客情報を格納する為の個人顧客データファイル（５Ｃ）と、
上記請求項１記載の法人顧客（３）が国内銀行カードセンター（１）に法人顧客データ登録申込書（１０）により登録した法人顧客名及び第三者宛カード発行承認者などの法人顧客情報を格納する為の法人顧客データファイル（５Ｄ）を格納する為の顧客データベース管理装置（５Ｒ）を備えた事を特徴とする上記請求項１記載の通信媒体トラベルカード発行装置（５Ｙ）。
【請求項３】
上記請求項１及び２記載の法人顧客（３）のカード発行承認者が当該第三者の登録済の携帯電話のカード機能（以後ケータイカードと称す）に入力するために第三者宛に発行したトラベルカード・データを当該第三者がダウンロードしてケータイカードへの入力が実行されるまで、当該トラベルカード・データを一時的に入力して格納する為の第三者宛発行済カードデータ一時入力ファイル（５Ｅ）を格納する為の顧客データベース管理装置（５Ｒ）を備えた事を特徴とする請求項１及び２記載の通信媒体トラベルカード発行装置（５Ｙ）。
【請求項４】
上記請求項２及び３記載の個人顧客及び法人顧客等の顧客（３）がトラベルカード発行申込をする為に、顧客の携帯電話やパーソナル  コンピュータ（以後パソコンと称す））やオフィス  コンピュータ（以後オフコンと称す）等の通信媒体によりインターネットを介して上記国内銀行カードセンター（１）のホームページにアクセスして通信媒体トラベルカード発行装置（５Ｙ）に接続して入力して来た個人顧客の契約者番号とパスワード及び法人顧客の契約者番号とパスワード等を上記請求項２及び３記載の個人顧客データファイル（５Ｃ）及び法人顧客データファイル（５Ｄ）に登録されているそれぞれの顧客情報と照合して確認されるまでの間と、それに  上記請求項３記載の法人顧客（３）のカード発行承認者等により第三者宛に発行されたトラベルカードの当該第三者が  当該第三者宛トラベルカード・データをダウンロードしてケータイカードに入力する為に、当該顧客等の携帯電話によりインターネットを介して国内銀行カードセンター（１）の通信媒体トラベルカード発行申込装置（５Ｙ）にアクセスして入力して来た第三者アクセス番号と第三者パスワード等を第三者宛発行カードデータファイル（５Ｅ）に登録されている第三者顧客情報と照合して確認されるまでの間、一時入力する為の顧客情報照合装置（５Ｏ）を設けている通信・制御・処理装置（５Ｔ）を備えている通信媒体トラベルカード発行装置（５Ｙ）。
【請求項５】
上記請求項２及び３記載の個人顧客及び法人顧客等の顧客（３）がそれぞれの顧客の携帯電話やパソコンやオフコン等の通信媒体によりインターネットを介して上記国内銀行カードセンター（１）内の通信媒体トラベルカード発行装置（５Ｙ）にアクセスしてトラベルカード発行手続きを行う為の個人顧客トラベルカード発行申込書（１３）（邦貨預金口座決済−プルダウンメニュー方式）（以後個人顧客トラベルカード発行申込書（邦貨決済１３）と称す）及び法人顧客第三者宛トラベルカード発行申込書（１４）（邦貨預金口座決済−プルダウンメニュー方式）（以後法人顧客第三者宛トラベルカード発行申込書（邦貨決済１４）と称す）並びに法人顧客第三者宛トラベルカード発行申込書（１５）（外貨預金口座決済−プルダウンメニュー方式）（以後法人顧客第三者宛トラベルカード発行申込書（外貨決済１５）と称す）等が格納されているトラベルカード発行申込書メニュー（５Ｆ）を格納する為のトラベルカード・プルダウンメニュー（以後プルダウンメニューと称す）（５Ｓ）を備えた事を特徴とする請求項１ないし３記載の通信媒体トラベルカード発行装置（５Ｙ）。
【請求項６】
上記請求項４及び５記載の法人顧客（３）によりが発行された第三者宛トラベルカードの当該第三者が、発行された当該トラベルカード  データをダウンロードして当該第三者のケータイカードに入力する為に、当該第三者の携帯電話によりインターネットを介して国内銀行カードセンター（１）の通信媒体トラベルカード発行申込装置（５Ｙ）にアクセスする為の第三者アクセス番号と第三者パスワード等を登録する事が出来る機能を備えた法人顧客第三者宛トラベルカード発行申込書（邦貨決済１４）及び法人顧客第三者宛トラベルカード発行申込書（外貨決済１５）が格納されているトラベルカード発行申込書メニュー（５Ｆ）を格納する為のプルダウンメニュー（５Ｓ）を備えた事を特徴とする請求項１ないし５記載の通信媒体トラベルカード発行装置（５Ｙ）。
【請求項７】
上記個人顧客（３）が  トラベルカード発行手続きの為に、当該顧客の携帯電話やパソコン等の通信媒体によりインターネットを介して国内銀行カードセンター（１）の通信媒体トラベルカード発行申込装置（５Ｙ）にアクセスして入力して来た当該顧客契約者番号とパスワードが  照合の為に一時的に顧客情報照合装置（５Ｏ）に入力されて、上記請求項２記載の個人顧客データファイル（５Ｃ）に入力されている登録済の当該顧客情報と照合されて認証された後に、当該顧客の携帯電話やパソコン端末画面に自動的に表示されるトラベルカード発行申込書メニュー（５Ｆ）から個人顧客トラベルカード発行申込書（邦貨決済１３）を選択すると、顧客（３）の携帯電話端末画面には  同トラベルカード発行申込書の記入工程に従って、各記入項目別に自動的に表示するプルダウンメニューと、パソコン端末画面には同トラベルカード発行申込書内の顧客情報記入枠に当該顧客登録情報等が自動的に表示される個人顧客トラベルカード発行申込書（邦貨決済１３）と、
上記法人顧客（３）のカード発行認証者が  第三者宛トラベルカード発行手続きを行う為に、当該法人顧客のオフコン等の通信媒体によりインターネットを介して国内銀行カードセンター（１）の通信媒体トラベルカード発行申込装置（５Ｙ）にアクセスして入力して来た当該法人顧客（３）のカード発行承認者等の契約者番号とパスワードが  照合の為に一時的に顧客情報照合装置（５Ｏ）に入力されて、上記法人顧客データファイル（５Ｄ）に入力されている登録済の当該法人顧客情報と照合されて認証された後に、当該法人顧客（３）のオフコン端末画面に自動的に表示されるトラベルカード発行申込書メニュー（５Ｆ）から（邦貨決済１４）方式或いは（外貨決済１５）方式の法人顧客第三者宛トラベルカード発行申込書を選択すると、選択した上記トラベルカード発行申込書の顧客情報記入枠に当該法人顧客登録情報等が自動的に表示される法人顧客第三者宛トラベルカード発行申込書（邦貨決済１４）及び法人顧客第三者宛トラベルカード発行申込書（外貨決済１５）等を格納しているトラベルカード発行申込書メニュー（５Ｆ）を格納する為のプルダウンメニュー（５Ｓ）備えた事を特徴とする請求項１ないし６記載の通信媒体トラベルカード発行装置（５Ｙ）。
【請求項８】
上記請求項３ないし７記載の第三者宛に発行されたトラベルカードの第三者が自己宛のトラベルカードデータを当該第三者の登録済の携帯電話番号搭載ケータイカードに入力する為に、当該第二者の携帯電話によりインターネットを介して国内銀行カードセンター（１）通信媒体トラベルカード発行申込装置（５Ｙ）にアクセスして入力して来た第三者アクセス番号及び第三者パスワードが  照合の為に一時的に通信・制御・処理装置（５Ｔ）内の顧客情報照合装置（５Ｏ）に入力された後に、同通信・制御・処理装置（５Ｔ）内の処理手段（５Ｎ）の内部処理と制御により上記第三者宛発行済カードデータ一時入力ファイル（５Ｅ）に入力されている第三者宛発行カードデータと照合されて認証された後に、上記第三者宛発行済カードデーター時入力ファイル（５Ｅ）に入力されている当該第三者宛カードデータを当該第三者のケータイカードに入力する工程が第三者の携帯電話端末画面に自動的に表示される顧客データベース管理装置（５Ｒ）と通信・制御・処理装置（５Ｔ）等を備えた事を特徴とする請求項１ないし７記載の通信媒体トラベルカード発行装置（５Ｙ）。
【請求項９】
上記請求項５ないし７記載のトラベルカード発行申込書等によるトラベルカード発行申込において、カード発行に必要なカードデータを作成する為の手段として、個人顧客（３）及び法人顧客（３）のトラベルカード発行承認者等が旅行を目的とする外国名と当該国通貨単位を検索して選定する為の外国名及び当該国通貨単位リストが格納されている旅行目的国・通貨単位メニュー（５Ｇ）と、旅行目的国内に所在する国内銀行の業務提携外国銀行をトラベルカードの支払い銀行として選定する為の外国銀行リストが格納されている外国銀行名メニュー（５Ｈ）と、外貨カード金額を１，０００単位で選定する為のカード金額メニュー（５Ｉ）と、外貨カード金額及びカード発行手数料を決済する為に、顧客の登録済みの邦貨預金口座及び外貨預金口座等の中から決済口座を選定する為の決済口座メニュー（５Ｊ）と、発行されるトラベルカード種類を選択する為に、磁気カード、ＩＣカード、携帯電話カード機能のケータイカード等の三種類が格納されているカードの種類メニュー（５Ｋ）と、トラベルカード発行申込手続きが完了したトラベルカードの引渡し方法を選択する為に、取引銀行店舗発行、外国銀行店舗発行、ケータイカード入力等の３つの引渡し方法が格納されているカードデリバリーメニュー（５Ｌ）と、上記各メニューのデータを表示して選択する為の選択項目表示欄と、左記選択項目表示範囲を上下に移動させる為のスクロールアロー等が格納されているプルダウンメニュー（５Ｓ）を設けた事を特徴とする請求項１ないし８記載の通信媒体トラベルカード発行装置（５Ｙ）。
【請求項１０】
上記請求項６記載のトラベルカード作成に必要な事項やデータを検索して選択する為の旅行目的国・通貨単位（５Ｈ）、外国銀行名（５Ｉ）、外貨カード金額（５Ｊ）、決済口座（５Ｋ）、カードの種類（５Ｌ）、カードデリバリー（５Ｍ）等のメニュー、選択項目表示欄、スクロールアロー等を格納しているプルダウンメニュー（５Ｓ）が連結されている上記個人顧客トラベルカード発行申込書（邦貨決済１３）及び法人顧客第三者宛トラベルカード発行申込書（邦貨決済１４）及び法人顧客第三者宛トラベルカード発行申込書（外貨決済１５）等を格納しているプルダウンメニュー（５Ｓ）を備えている事を特徴とする請求項１ないし９記載の通信媒体トラベルカード発行装置（５Ｙ）。
【請求項１１】
上記請求項５ないし９記載の個人顧客トラベルカード発行申込書（邦貨決済１３）及び法人顧客第三者宛トラベルカード発行申込書（邦貨決済１４）において  旅行目的国と当該国通貨単位が旅行目的国・通貨単位メニュー（５Ｇ）から選定された後に、外貨カード金額がカード金額メニュー（５Ｉ）から選定されると、選定された金額が外貨カード金額記入枠に自動的に表示される、と共に  トラベルカード申込書等の外国為替レート記入枠に自動的に表示されている営業日当日の外国為替レートと連動して外貨カード金額邦貨換算額やカード発行手数料及びトラベルカード購入の合計金額等がそれぞれの金額記入枠に自動的に表示される個人顧客トラベルカード発行申込書（邦貨決済１３）及び法人顧客第三者宛トラベルカード発行申込書（邦貨決済１４）を格納しているプルダウンメニュー（５Ｓ）備えた事を特徴とする請求項５ないし１０記載の通信媒体トラベルカード発行装置（５Ｙ）。
【請求項１２】
上記請求項５ないし１０記載の個人顧客トラベルカード発行申込書（邦貨決済１３）及び法人顧客第三者宛トラベルカード発行申込書（邦貨決済１４）及び法人顧客第三者宛トラベルカード発行申込書（外貨決済１５）によるカード発行手続きにおいて、トラベルカード購入金額の合計が個人顧客の決済口座及び法人顧客の決済口座で決済されると、通信媒体トラベルカード発行装置（５Ｙ）内に備えられた通信・制御・処理装置（５Ｔ）内の処理手段（５Ｎ）の制御と内部処理により  同処理装置（５Ｔ）内に設けられた外国銀行カード番号取出信号発信装置（５Ｐ）により、外国銀行カード番号を取り出す為の外国銀行カード番号取出信号が同装置（５Ｔ）内のインターフェース手段（５Ｍ）及びトラベルカードデータ管理装置（１Ｘ）に備えられた通信・制御・処理装置（１Ｗ）内の処理手段（１Ｑ）及びインターフェース手段（１Ｐ）により同装置内の中継装置・兼・外国銀行カードデータ管理装置（１Ｕ）を介して外国銀行カードセンター（４）へ発信される事を特徴とする請求項１ないし１１記載の通信媒体トラベルカード発行装置（５Ｙ）。
【請求項１３】
上記請求項１１記載の中継装置・兼・外国銀行カードデータ管理装置（１Ｕ）を介して発信された外国銀行カード番号取出信号により外国銀行カードセンター（４）から取出された外国銀行カード番号は  自動的にトラベルカードデータ管理装置内（１Ｘ）に設けられた通信・制御・処理装置内（１Ｗ）内のインターフェース手段（１Ｐ）と処理手段（１Ｑ）及び  通信媒体トラベルカード発行装置（５Ｙ）内の通信・制御・処理装置内（５Ｔ）内の処理手段（５Ｏ）の内部処理と制御とインターフェース手段（５Ｎ）により、顧客（３）の通信媒体端末画面に表示されているトラベルカード発行申込書の外国銀行カード番号記入枠に自動的に入力されて表示される個人顧客トラベルカード発行申込書（邦貨決済１３）及び法人顧客第三者宛トラベルカード発行申込書（邦貨決済１４）並びに法人顧客第三者宛トラベルカード発行申込書（外貨決済１５）を格納しているプルダウンメニュー（５Ｓ）備えた事を特徴とする請求項１ないし１２記載の通信媒体トラベルカード発行装置（５Ｙ）。
【請求項１４】
上記請求項１２記載のトラベルカード発行申込において、顧客が外国銀行カードセンターから取り出された当該外国銀行カード番号の入力確認をした後に、トラベルカード発行申込書のトラベルカードの暗証番号記入枠に暗証番号を入力して発行承認する、と同時に  完成された当該トラベルカードデータは  通信媒体トラベルカード発行装置（５Ｙ）内に設けられた通信・制御・処理装置（５Ｔ）内の処理手段（５Ｎ）の制御と内部処理とインターフェース手段（５Ｍ）及びトラベルカードデータ管理装置（１Ｘ）内に設けられた通信・制御・処理装置（１Ｗ）内の処理手段（１Ｑ）の制御と内部処理及びインターフェース手段（１Ｐ）により上記中継装置・兼・外国銀行カードデータ管理装置（１Ｕ）介して外国銀行カードセンターへ送信される、と同時に  トラベルカードデータ管理装置（１Ｘ）内の自行本支店及び通信媒体カードデータ管理装置（１Ｖ）内の発行済外銀カードデータ記録保存ファイル（１Ｎ）に入力されて記録保存される事を特徴とする通信媒体トラベルカード発行装置（５Ｙ）及びトラベルカードデータ管理装置（１Ｘ）。
【請求項１５】
上記請求項５ないし１２記載の個人顧客及び法人顧客等の顧客（３）の携帯電話やパソコンやオフコン等の通信媒体によるトラベルカード発行申込において、所定の時間が相当経過しているにも関わらず、トラベルカード発行手続きが完了していない場合、当該顧客（３）の通信媒体端末画面に対して未着カードデータ照会信号と、それに  トラベルカード発行手続きが完了して、カードデリバリーとしてケータイカード入力が選定されているにも関わらず、相当時間経過してもケータイカード入力が実行されていない場合、当該顧客の通信媒体端末画面に対して未入力カードデータ照会信号等が自動的に発信される未着及び未入力カードデータ照会信号発信装置（５Ｐ）を格納している通信・制御・処理装置（５Ｔ）を備えた事を特徴とする請求項１ないし１３記載の通信媒体トラベルカード発行装置（５Ｙ）。
【発明の詳細な説明】
【技術分野】
【０００１】  本発明は  顧客自身が顧客の携帯電話やパソコンやオフコン等の通信媒体からインターネットを介して顧客と取引のある国内銀行のカードセンターに設けられたカード発行装置に直接アクセスして、外国銀行支払いのトラベルカード発行手続及びカードデータ作成を行う為の顧客データベース管理装置及びプルダウンメニュー並びに通信・制御・処理装置を備えた通信媒体トラベルカード発行装置及びトラベルカード発行申込書に関する。
【背景技術】
【０００２】  従来、銀行カードの発行及び管理する装置や機能がカードセンターに一極集中して設置されている為に、顧客へのカード発行は  銀行各店舗が  顧客からカード発行申込を受けて、顧客のカード発行申込書を自行カードセンターへ送付してカード発行を依頼し、カードセンター経由で行われている為に、顧客へのカード郵送に一週間以上の長時間と莫大な郵送コストがかかっている。【０００３】  また  顧客自身が顧客の通信媒体等でイシターネットを介して銀行カードセンターのカード発行システムに直接、自由にアクセスして外国銀行支払いカードの発行続きが出来るカード発行装置やシステム或いはカード発行申込書はなかった。【０００４】  それに  銀行は外国旅行用カードしてクレジットカード会社のクレジットカードや国際デビットカードを発行しているが、銀行独自の外国旅行用カードは発行してなかった。
【発明の開示】
【発明が解決しようとする課題】
【０００５】  本発明は上記の課題を解決する為になされたもので、顧客は預貯金等の取引のある国内銀行と通信媒体トラベルカード発行契約を締結する事によって、顧客が  必要な時に、何処からでも  顧客の携帯電話やパーソナルコンピュータ（以後パソコンと称す）やオフィス  コンピュータ（以後オフコンと称す）等の通信媒体からインターネットを介して上記国内銀行のカードセンターホームページにアクセスして同銀行カードセンターのカード発行装置へ直接接続して、外国銀行支払のトラベルカード発行申込手続きを行う事や、また  法人顧客が短期海外出張社員の為に、第三者宛のトラベルカード発行手続きが出来る事や、それに  購入したトラベルカードを国内銀行取引店舗や外国銀行店舗から即時に発行して貰う事や、また  購入したトラベルカードデータを携帯電話搭載カード機能（以後ケータイカードと称す）に入力手続き等が  顧客の携帯電話等の通信媒体により即時に行う事が出来る通信媒体トラベルカード発行装置を提供する事を目的としている。
【課題を解決するための手段】
【０００６】  本発明の通信媒体トラベルカード発行装置は、国内銀行カードセンターと個人顧客及び法人顧客の通信媒体との間でインターネットを介して信号のやり取りや、トラベルカード即時発行システム内に設けられたトラベルカードデータ管理装置との間でカードデータの信号のやり取りを行う為のインターフェース手段と、同インターフェース手段に各顧客から入力されて来る信号に基づいて、内部処理及び制御を行う為の処理手段を備えている通信・制御・処理装置を備えており、また  国内銀行と個人顧客トラベルカード発行契約を締結している個人顧客がカード発行手続きやカードデータ作成に必要な当該個人顧客情報を登録する為の個人顧客デーダ登録申込書やトラベルカード発行契約解約書類等が格納されている個人顧客データ登録・トラベルカード発行契約解約書類ファイルと、国内銀行と法人顧客が法人顧客第三者宛トラベルカード発行契約を結ぶ為に必要な当該法人顧客情報を登録する為の法人顧客データ登録申込書や登録済顧客情報を抹消する為の法人顧客データ抹消届け書や法人顧客第三者宛トラベルカード発行契約解約書類等が格納されている法人顧客データ登録・抹消・トラベルカード発行契約解約書類ファイルを格納する為の顧客データベース管理装置を備えている。【０００７】  国内銀行と個人顧客トラベルカード発行契約を締結した個人顧客がカード発行手続きやカードデータ作成に必要な当該個人顧客情報を登録する為に、個人顧客データ登録申込書により国内銀行カードセンターに登録された当該個人顧客情報を格納する為の個人顧客データファイルと、国内銀行と法人顧客第三者宛トラベルカード発行契約を締結した法人顧客がカード発行手続きやカードデータ作成に必要な当該法人顧客情報を登録する為に、法人顧客データ登録申込書により国内銀行カードセンターに登録された当該法人顧客情報を格納する為の法人顧客データファイルを格納している顧客データベース管理装置を格納している通信媒体トラベルカード発行装置を備えている。【０００８】  個人顧客或いは法人顧客がトラベルカード発行申込をする為に、それぞれの顧客の通信媒体からインターネットを介して国内銀行カードセンターのホームページにアクセスして同国内銀行カードセンター内に設けられている通信媒体トラベルカード発行装置に接続して入力されて来た顧客情報いわゆる契約者番号及びパスワード等を、当該国内銀行に登録された個人顧客情報或いは法人顧客情報と照合して認証する為に、一時入力する為の顧客情報照合装置を備えている通信・制御・処理装置を顧客データベース管理装置を設けている。
また  法人顧客が第三者宛に発行したトラベルカードの当該第三者が  当該トラベルカード  データをダウンロードして当該第三者の登録済携帯電話のケータイカードに入力する為に、当該第三者の携帯電話からインターネットを介して国内銀行カードセンターのホームページにアクセスして同国内銀行カードセンター内に設けられている通信媒体トラベルカード発行装置接続して入力されて来た顧客情報いわゆる第三者アクセス番号及び第三者パスワードを  顧客データベース管理装置内に設けられた第三者宛発行済カードデータ一時入力ファイルに入力されている当該第三者情報と照合して認証する為にも、上記顧客情報照合装置機能を使用している。【０００９】  個人顧客が  顧客の通信媒体によりトラベルカード発行手続きを行う為の個人顧客トラベルカード発行申込書（邦貨預金口座決済−プルダウンメニュー方式）（以後個人顧客トラベルカード発行申込書（邦貨決済１３）と称す）と、上記法人顧客が  法人顧客の通信媒体によりトラベルカードを短期海外出張社員等の第三者宛に発行する為の法人顧客第三者宛トラベルカード発行申込書（邦貨預金口座決済−プルダウンメニュー方式）（以後法人顧客第三者宛トラベルカード発行申込書（邦貨決済１４）と称す）並びに法人顧客第三者宛トラベルカード発行申込書（外貨預金口座決済−プルダウンメニュー方式）（以後法人顧客第三者宛トラベルカード発行申込書（外貨決済１５）と称す）等が格納されているトラベルカード発行申込書メニューを格納する為のプルダウンメニューを備えている。【００１０】  顧客が旅行を目的とする外国名と当該国通貨単位を検索して選定する為の外国名及び当該国通貨単位リストが格納されている旅行目的国・通貨単位メニューと、旅行目的国内に所在する外国銀行をトラベルカードの支払い銀行として選定する為の外国銀行リストが格納されている外国銀行メニューと、外貨カード金額を１，０００単位で選定する為のカード金額メニューと、外貨カード金額及びカード発行手数料等を決済する為の邦貨預金口座及び外貨カード金額を決済する為の外貨預金口座等を選定する為の各会社別の決済口座が格納されている決済口座メニューと、発行されるトラベルカード種類（磁気カード、ＩＣカード、ケータイカード等）の中から一つのカードを選択する為のカードの種類メニューと、トラベルカード発行申込手続きが完了したトラベルカードの引渡し方法（取引銀行店舗発行、外国銀行店舗発行、ケータイカード入力等）の中から一つの引渡し方法を選択する為のカードデリバリーメニューと、上記各メニューのデータを表示して選択する為の選択項目表示欄と、左記選択項目表示範囲を上下に移動させて即時の選定する為のスクロールアロー等を設けたプルダウンメニューを備えている。【００１１】  さらに  トラベルカード発行手続きを迅速に行うために、上記の各項目別メニューと各メニューのデータを表示して選択する為の選択項目表示欄と、左記選択項目表示範囲を上下に移動させて即時の選定する為のスクロールアロー等を設けたプルダウンメニューと連結した個人顧客トラベルカード発行申込書（邦貨決済１３）や法人顧客第三者宛トラベルカード発行申込書（邦貨決済１４）及び法人顧客第三者宛トラベルカ���ド発行申込書（外貨決済１５）等を設けている。【００１２】  顧客がトラベルカード発行申込手続きにおいて、顧客の通信媒体端末画面に表示されているトラベルカード発行申込書の外貨カード金額記入枠に金額を入力すると、当該トラベルカード申込書の外国為替レート枠に自動的に表示されている営業日当日の外国為替レートと連動して自動的に外貨カード金額の邦貨換算額やカード発行手数料及びトラベルカード購入合計金額が表示出来る上記トラベルカード発行申込書を備えている。【００１３】  上記トラベルカード購入合計金額が顧客預金口座で決済されると、通信媒体トラベルカード発行装置に設けられた通信・制御・処理装置内の処理手段の制御と内部処理により  同処理装置内に備えられた外国銀行カード番号取出信号発信装置（以後外銀カード番号取出発信装置と称す）により、外国銀行カード番号（以後外銀カード番号と称す）を取り出す為の外銀カード番号取出信号が同装置内のインターフェース手段及びトラベルカードデータ管理装置内に設けられた通信・制御・処理装置内の処理手段及びインターフェース手段によりトラベルカードデータ管理装置内に設けられた中継装置・兼・外国銀行カードデータ管理装置（以後中継装置と称す）を介して外国銀行カードセンターへ発信できる通信媒体トラベルカード発行装置を備えている。【００１４】  上記外銀カード番号取出信号により外国銀行カードセンターから取出された外銀カード番号は  自動的にトラベルカードデータ管理装置内に設けられた通信・制御・処理装置内のインターフェース手段と処理手段  及び  通信媒体トラベルカード発行装置内に設けられた通信・処理・制御装置内の処理手段の内部処理と制御とインターフェース手段により、顧客の通信媒体端末画面に表示されているトラベルカード発行申込書の外銀カード番号記入枠に自動的に入力されて表示される通信媒体トラベルカード発行装置を備えている。【００１５】上記トラベルカード発行申込において、顧客が当該外銀カード番号の入力を確認した後に、トラベルカード暗証番号記入枠に暗証番号を入力して発行承認する、と同時に  完成された当該トラベルカードデータは  通信媒体トラベルカード発行装置内に設けられた通信・制御・処理装置内の処理手段の制御と内部処理とインターフェース手段  及びトラベルカードデータ管理装置内に設けられた通信・制御・処理装置内の処理手段の制御と内部処理及びインターフェース手段により上記トラベルカードデータ管理装置内に設けられた中継装置介して外国銀行カードセンターへ送信される、と同時に  トラベルカードデータ管理装置内に設けられた自行本支店及び通信媒体カードデータ管理装置内の発行済外銀カードデータ記録保存ファイルに入力されて記録保存されるトラベルカードデータ管理装置と連携した通信媒体トラベルカード発行装置を備えている。
なお、トラベルカードデータはトラベルカード発行申込書内の記入項目の発行銀行名、同発行銀行の整理番号、日付、旅行目的国、外国銀行名、外国銀行カード番号、通貨単位、外貨カード、有効期限、トラベルカードの暗証番号、カードユーザー・顧客名、国籍、住所、パスポート番号、生年月日、性別、携帯電話番号、Ｅメールアドレス等が定型化された英国文字で外国銀行カードセンターに発信される。【００１６】  なお  上記トラベルカードデータ管理装置内に設けられた中継装置には  外国銀行カードセンターから外銀カード番号を取り出す為の外銀カード番号取出信号を記録保存する為の外銀カード番号取出信号ファイルと、上記外銀カード番号取出信号によって取り出された外銀カード番号を使用して顧客によって発行されたトラベルカードデータが上記通信媒体トラベルカード発行装置から送信されて来るまで、上記外銀カード番号を一時入力する為の取出済未使用外銀カード番号一時入力ファイルと、顧客によって上記取出済未使用外銀カード番号を使用して発行承認されたトラベルカードデータを外国銀行カードセンターに発信するまで一時入力する為の発行承認済外銀カードデータ一時入力ファイルと、上記中継装置を介して外国銀行カードセンターに送信された上記取出済外銀カード番号を使用して作成したトラベルカードデータが当該外国銀行カードセンターによって受信された事を通知する当該外国銀行カードセンター発信の受信確認通知であるコンファメーションを入力し記録保存する為のコンファメーションファイル等の５つのファイルが上記中継装置に設けられている。【００１７】  また  上記トラベルカードデータ管理装置内には  通信媒体トラベルカード発行装置を介して顧客によって発行されたトラベルカードデータを管理する為の自行本支店及び通信媒体トラベルカードデータ管理装置が設けられている。同自行本支店及び通信媒体トラベルカードデータ管理装置には  国内銀行本支店及び通信媒体トラベルカード発行装置等のそれぞれの通信・制御・処理装置内の外銀カード番号取出信号発信装置によって自動的に発信された外銀カード番号取出信号を記録保存する為の外銀カード番号取出信号ファイルと、上記外銀カード番号取出信号によって外国銀行カードセンターから取り出された外銀カード番号を  同外銀カード番号を使用して自行本支店及び顧客によって発行されたトラベルカードのデータが上記国内銀行本支店及び通信媒体トラベルカード発行装置から送信されて来るまで、一時入力する為の取出済未使用外銀カード番号一時入力ファイルと、上記国内銀行本支店及び顧客が作成した外銀カード番号の付いて無い未完成トラベルカードデータを  外銀カード番号が上記外銀カード番号取出信号によって取り出されてくるまで、一時入力する為の未完成・未承認カードデータ一時入力ファイルと、上記取出済外銀カード番号を使用して発行した完成トラベルカードデータを記録保存する為の発行済外銀カードデータ記録保存ファイルと、上記中継装置を介して外国銀行カードセンターに送信された上記取出済外銀カード番号を使用して作成したトラベルカードデータが当該外国銀行カードセンターによって受信された事を通知する当該外国銀行カードセンター発信の受信確認通知であるコンファメーションを入力し記録保存する為のコンファメーションファイル等の五つのカードデータ管理ファイルが備えられている。【００１８】  上記トラベルカード発行申込において、取出済未使用外銀カード番号が顧客の通信媒体に送信されたにも関わらず、顧客が作成した外銀カード番号の付いて無い未完成トラベルカードデータが未完成・未承認カードデータ一時入力ファイルに入力されて所定の時間が相当経過してもトラベルカード発行手続きが完了していない場合、当該顧客の通信媒体端末画面に対して未着カードデータ照会信号と、或いは  トラベルカード発行手続きが完了して、カードデリバリーとしてケータイカード入力が選定されているにも関わらず、相当時間や日数が経過してもケータイカード入力が実行されていない場合、当該顧客の通信媒体端末画面に対して未入力カードデータ照会信号等が自動的に発信される未着及び未入力カードデータ照会信号発信装置を備えた通信・制御・処理装置を設けている通信媒体トラベルカード発行装置を備えている。
【発明の効果】
【００１９】  本発明は、以上説明したように構成されているので、以下に記載されるような効果を奏する。  個人顧客及び法人顧客等の顧客は  預貯金等の取引のある国内銀行と通信媒体トラベルカード発行契約を締結する事によって、顧客が  必要な時に、何処からでも顧客の携帯電話やパソコンやオフコン等の通信媒体からインターネットを介して上記国内銀行カードセンターホームページにアクセスして同銀行カードセンターのカード発行装置へ直接接続して、外国で使用する為の外国銀行支払トラベルカードの発行申込手続きを行う事や、また  法人顧客が短期海外出張社員の為に、第三者宛のトラベルカード発行手続きが出来る事や、それに  購入したトラベルカードを国内銀行取引店舗や外国銀行店舗から即時に発行して貰う事や、また  購入したトラベルカードデータを携帯電話のケータイカードに入力手続き等が顧客の携帯電話で即時に行う事が出来る通信媒体トラベルカード発行装置を提供する。【００２０】  図１に示しているように、本発明の通信媒体トラベルカード発行装置には  顧客データベース管理装置が設けられており、同管理装置内には  個人顧客データ登録及びトラベルカード発行契約解約書類ファイルや、法人顧客データ登録・抹消・及びトラベルカード発行契約解約書類ファイルや、個人顧客データファイルや、法人顧客データファイルや、第三者宛発行済カードデータ一時入力ファイル等の５つのファイルが備えられている。  顧客は自分の通信媒体からインターネット介して同管理装置にアクセスして、同管理装置を使用する事によって、トラベルカード発行手続きに必要な顧客情報などのデータ登録や、登録済顧客データの抹消  あるいはトラベルカード発行契約の解約手続き等を行ったり、また  通信媒体トラベルカード発行装置は上記登録済顧客データの管理や、上記通信媒体トラベルカード発行装置にアクセスする為に入力されて来た顧客の契約番号やパスワードをチェックする為の顧客情報照合機能や、それに  法人顧客が当該法人の短期海外出張社員などの第三者宛に発行したトラベルカード  データを当該第三者顧客が登録された当該第三者の携帯電話のケータイカードに入力するまで一時入力する為の第三者宛発行済カードデータ一時入力ファイルなどの管理機能を備えている。【００２１】  また  通信媒体トラベルカード発行装置には  プルダウンメニューが備えられており、同プルダウンメニューには  トラベルカード発行申込書メニューや、旅行目的国・通貨単位メニューや、外国銀行名メニューや、カード金額メニューや、決済口座メニューや、カードの種類メニューや、カードデリバリーメニュー等の７つのメニューが備えられている。顧客は  自己宛カードあるいは第三者宛カードを発行する為に、同プルダウンメニューに格納されているトラベルカード発行申込書メニューからそれぞれ必要なトラベルカード申込書を選択して顧客の通信媒体端末画面に表示して、その他の格納されているメニューから旅行目的国、通貨単位、外国銀行名、カード金額、決済口座、カードの種類、カードデリバリー等を選択してトラベルカード発行申込書のそれぞれの記入枠に即時かつ自動的に表示する事が出来る機能を備えている。
上記プルダウンメニューは  上記トラベルカード発行申込書下部に連結されて表示されているので、顧客の通信媒体端末画面にトラベルカード発行申込書と共に表示する事が出来るので、トラベルカード発行手続きをスムーズかつ迅速に行う事ができる。（個人顧客トラベルカード発行申込書（邦貨決済１３）や法人顧客第三者宛トラベルカード発行申込書（邦貨決済１４）及び法人顧客第三者宛トラベルカード発行申込書（外貨決済１５）等参照）【００２２】  また  上記トラベルカード発行申込書が選択されると、上記顧客データベース管理装置内の個人顧客データファイルや法人顧客データファイルに登録されている当該顧客情報いわゆる個人顧客名、国籍、住所、パスポート番号、生年月日、性別、電話番号、携帯電話番号、Ｅメールアドレス、取引銀行店舗名、決済預金口座番号、契約者番号、パスワード等や、法人情報契約会社名、住所、第三者宛トラベルカード発行手続き及び購入するトラベルカードの決済及び承認を行う承認者名、所属部署、役職、電話番号、Ｅメールアドレス、身分証明書番号、契約者番号、パスワード、決済口座番号、取引店舗名等が選択されたトラベルカード発行申込書に即時かつ自動的に表示される。【００２３】  さらに  上記通信媒体トラベルカード発行装置には  通信・制御・処理装置が備えられている。  同処理装置には  顧客の携帯電話やパソコンやオフコンなどの通信媒体からインターネットを介して通信のやり取りする為のインターフェース手段や、同インターフェースに入力されて来る信号に基づいて制御をしたり処理する為の処理手段や、それに入力されてきた顧客の契約番号やパスワード及び第三者アクセス番号や第三者パスワード等を  上記顧客データベース管理装置内に備えられている個人顧客データファイルや法人顧客データファイル及び第三者宛発行済カードデータ一時入力ファイル等に登録されて管理されている当該顧客情報と照合して確認する為の顧客情報照合装置を設けてセキュリティー対策を施している。【００２４】  それに  顧客がトラベルカード発行手続きにおいて、トラベルカードに付ける外国銀行カード番号を取り出す為に、外国銀行カード番号取出信号が上記通信・制御・処理装置（５Ｔ）の内部処理と制御により、トラベルカードデータ管理装置に設けられた中継装置を介して外国銀行カードセンターから外銀カード番号が取り出さす為の外銀カード番号取出信号発信装置を備えている。
さらに、個人顧客或いは法人顧客の通信媒体によるトラベルカード発行申込において、所定の時間が相当経過しているにも関わらず、トラベルカード発行手続きが完了していない場合、当該顧客の通信媒体端末画面に対して未着カードデータ照会信号の発信、或いは  トラベルカード発行手続きが完了して、カードデリバリーとしてケータイカード入力が選定されているにも関わらず、相当時間経過してもケータイカード入力が実行されていない場合、当該顧客の通信媒体端末画面に対して未入力カードデータ照会信号等を自動的に発信する為の未着及び未入力カードデータ照会信号発信装置を備えている。上述してあるように、本発明の通信媒体トラベルカード発行装置により、国内銀行とトラベルカード発行契約を締結した顧客は  外国旅行中でも、必要な時に、何処からでも、必要な外貨建トラベルカード発行手続きを行って、トラベルカードを国内銀行や外国銀行から即時に発行して貰う事や、或いは購入したトラベルカードデータを顧客の携帯電話に搭載されているケータイカードにダウンロードして使用可能になるので、銀行に行く必要は無くなり時間の節約になる。  また  顧客にとって、外国旅行中にトラベルカードを紛失したり盗まれた場合、顧客のカードデータとカード金額は外国銀行に既に送信されて外国銀行にトラベルカード決済勘定も開設されているので、トラベルカード決済勘定の残高の範囲内で代替カードが外国銀行店舗で即時に発行して貰えるメリットがあるので、安心して海外旅行が出きる。
銀行にとっても  上記通信媒体トラベルカード発行装置を備える事によって、上述のようにカード発行手続きは顧客自身が通信媒体により行われるので、カード発行業務の省力化のみならず、スピード化や、効率化やコスト削減等のプロセスを改善出来る事や、携帯電話やパソコンやオフコン等の通信媒体からインターネットを介して外国旅行用の新型銀行カードの発行手続きやカードサービスを顧客に提供する事が出きる。
【発明の実施するための最良の形態】
【００２５】  以下、本発明の実施例を実施の形態１〜実施の形態５までを図１〜図８に基づいて説明する。
【実施の形態１】
【００２６】  図１は通信媒体トラベルカード発行装置（５Ｙ）図である。この図においては（１）は国内銀行カードセンターであり、顧客自身が携帯電話やパソコンやオフコン等の通信媒体でカード発行手続きが出来る通信媒体トラベルカード発行装置を備えている。
図１の（５Ｙ）は  本発明の通信媒体トラベルカード発行装置であり、顧客データベース管理装置（５Ｒ）やトラベルカード  プルダウンメニュー（５Ｓ）及び通信・制御・処理装置（５Ｔ）等を備えている。
（３）は国内銀行と通信媒体トラベルカード発行契約を締結した個人顧客及び法人顧客であり、顧客は  顧客自身がトラベルカード発行手続きを行う為に、顧客の携帯電話やパソコンやオフコン等からインターネットを介して国内銀行カードセンター（１）に設けられた本発明の上記通信媒体トラベルカード発行装置（５Ｙ）にアクセスする為の通信媒体を備えている。
【００２７】  上記図１の通信媒体トラベルカード発行装置（５Ｙ）内に備えられている顧客データベース管理装置（５Ｒ）には  ５つのファイル５Ａ〜５Ｅが設けられている。それらについて具体的に説明する。
５Ａは  個人顧客データ登録及びトラベルカード発行契約解約書類ファイルであり、国内銀行と個人顧客トラベルカード発行契約を締結した個人顧客（３）がトラベルカード発行手続きに必要な顧客情報を国内銀行カードセンター（１）に登録する為の個人顧客データ登録申込書と、個人顧客トラベルカード発行契約を解約する為の個人顧客トラベルカード発行契約解約通知書等が格納されているファイルである。
５Ｂは  法人顧客データ登録・抹消・  及び法人顧客第三者宛トラベルカード発行契約解約書類ファイルであり、  国内銀行と法人顧客第三者宛トラベルカード発行契約を締結した法人顧客（３）が第三者宛のトラベルカード発行手続きに必要な法人顧客情報を国内銀行カードセンター（１）に登録する為の法人顧客データ登録申込書と、登録済の上記法人顧客情報を抹消する為の法人顧客登録データ抹消届書と、法人顧客第三者宛トラベルカード発行契約を解約する為の法人顧客第三者宛トラベルカード発行契約解約通知書等が格納されているファイルである。
５Ｃは  個人顧客データファイルであり、上記個人顧客（３）が  トラベルカード発行手続きを行う為に、個人顧客データ登録申込書により国内銀行カードセンター（１）に登録した個人情報（個人顧客名、国籍、住所、パスポート番号、生年月日、性別、電話番号、携帯電話番号、Ｅメールアドレス、取引銀行店舗名、決済預金口座番号、契約者名、契約者番号、パスワード）等を格納する為のファイルである。  なお  個人顧客（３）がカードデリバリーにおいて、ケータイカード入力を選択した場合には  購入したトラベルカードデータは登録済の上記携帯電話番号のケータイカードに入力される。
５Ｄは  法人顧客データファイルであり、法人顧客（３）が  トラベルカード発行手続きを行う為に、法人顧客データ登録申込書により国内銀行カードセンター（１）に登録した法人情報（契約会社名、住所、第三者宛トラベルカード発行決済及び承認を行う承認者名、所属部署、役職、電話番号、Ｅメールアドレス、身分証明書番号、契約者番号、パスワード、カード購入代金を決済する邦貨預金口座番号及び外貨預金口座番号、取引店舗名、及び上記承認者データを登録する為の契約会社デーダ登録申込者としての財務責任者名、副財務責任者名、両者の契約者番号及びパスワード）等を格納する為のファイルである。
５Ｅは  第三者宛発行済カードデータ一時入力ファイルであり、法人顧客（３）がカードデリバリーとしてケータイカード入力を選定した第三者の為に発行したトラベルカードのデータ（国内銀行名、整理番号、日付、旅行目的国、外国銀行名、外国銀行カード番号、通貨単位、外貨カード金額、有効期限、暗証番号、当該第三者顧客名、国籍、住所、パスポート番号、生年月日、性別、携帯電話番号、Ｅメールアドレス、第三者アクセス番号、第三者パスワード）等を一時的に入力する為のファイルである。
なお  当該第三者は上記登録済の第三者アクセス番号と第三者パスワードを自分の携帯電話からインターネットを介して国内銀行カードセンター（１）のホームページに入力して上記通信媒体トラベルカード発行装置（５Ｙ）にアクセスして当該トラベルカードデータを当該第三者の上記登録済携帯電話番号のケータイカードに入力する事が出きる。
【００２８】  また  図１の通信媒体トラベルカード発行装置（５Ｙ）内に設けられているプルダウンメニュー（５Ｓ）には  ７つのファイル５Ｆ〜５Ｌと選択項目表示欄及び選択項目表示範囲を上下に移動させる為のスクロールアローが設けられている。
個人顧客（３）及び法人顧客（３）のトラベルカード発行申込において、必要なカードデータを作成する為の手段である上記７つのファイルと選択項目表示欄及びスクロールアローについて具体的に説明する。
５Ｆは  トラベルカード発行申込書メニューであり、個人顧客及び法人顧客等の顧客（３）がトラベルカードの発行申込をする際に、トラベルカード発行申込書を選定する為の個人顧客トラベルカード発行申込書（邦貨決済１３）や、法人顧客第三者宛トラベルカード発行申込書（邦貨決済１４）及び法人顧客第三者宛トラベルカード発行申込書（外貨決済１５）等が格納されているメニューである。
５Ｇは  旅行目的国・通貨単位メニューであり、個人顧客（３）及び法人顧客（３）のトラベルカード発行対象の第三者等が旅行を目的とする外国名と当該国通貨単位を検索して選定する為の外国名及び当該国通貨単位リストが格納されている。
５Ｈは  外国銀行メニューであり、上記旅行目的国内に所在するカード発行業務提携外国銀行（以後外国銀行と称す）をトラベルカードの支払い銀行として選定する為の外国銀行リストが格納されている。
５Ｉは  カード金額メニューであり、外貨カード金額を１，０００単位で選定する為のメニューである。
５Ｊは  決済口座メニューであり、外貨カード金額及びカード発行手数料を決済する為に、顧客の登録済みの邦貨預金口座及び外貨預金口座等の中から決済口座を選定する為のメニューである。
５Ｋは  カードの種類メニューであり、発行されるトラベルカードの種類を選択する為のカードの種類（磁気カード、ＩＣカード、ケータイカード等）が格納されている。
５Ｌは  カードデリバリーメニューであり、発行されるトラベルカードの引渡し方法を選択する為の引渡し方法（取引銀行店舗発行引、外国銀行店舗発行、ケータイカード入力等）が格納されているメニューである。
上記各メニューのデータを表示して選択する為の選択項目表示欄と、左記選択項目表示範囲を上下に移動させる為のスクロールアロー等がプルダウンメニュー（５Ｓ）に設けられている。
【００２９】  さらに  上記図１の通信媒体トラベルカード発行装置（５Ｙ）内に設けられている通信・制御・処理装置（５Ｔ）には  ２つの手段５Ｍと５Ｎ及び３つの装置５Ｏ、５Ｐ、５Ｑが備えられている。それらについて具体的に説明する。
５Ｍは  インターフェース手段であり、個人顧客及び法人顧客等の顧客（３）の通信媒体との間でインターネットを介して国内銀行カードセンター（１）内に設けられたトラベルカードデータ管理装置（１Ｘ）との間でカードデータの信号のやり取りを行う為の手段である。
５Ｎは  処理手段であり、上記インターフェース手段（５Ｍ）に上記各顧客（３）から入力されて来る信号に基づいて、内部処理と制御により信号の入出力を行う為の手段である。
５Ｏは  顧客情報照合装置であり、個人顧客及び法人顧客等の顧客（３）がトラベルカード発行申込をする為に、それぞれの顧客の通信媒体からインターネットを介して国内銀行カードセンター（１）内に設けられている通信媒体トラベルカード発行装置（５Ｙ）に接続して入力されて来た顧客情報いわゆる契約者番号及びパスワード等を、当該国内銀行に登録された個人顧客情報或いは法人顧客情報と照合して認証する為に、一時入力する為の顧客情報照合装置である。  また  法人顧客（３）が第三者宛に発行したトラベルカードの当該第三者が  当該トラベルカード  データをダウンロードして当該第三者の登録済携帯電話のケータイカードに入力する為に、当該第三者の携帯電話からインターネットを介して国内銀行カードセンター（１）内に設けられている通信媒体トラベルカード発行装置（５Ｙ）に接続して入力されて来た顧客情報いわゆる第三者アクセス番号及び第三者パスワードを  顧客データベース管理装置（５Ｒ）内に設けられた第三者宛発行済カードデータ一時入力ファイル（５Ｅ）に入力されている当該第三者情報いわゆる第三者アクセス番号及び第三者パスワードと照合して認証する為に、一時入力する為の装置である。
５Ｐは  外銀カード番号取出信号発信装置であり、トラベルカードに付ける外銀カード番号を取り出す為に、外銀カード番号取出信号が上記通信・制御・処理装置（５Ｔ）の内部処理と制御により、トラベルカードデータ管理装置（１Ｘ）に送信さられて、同管理装置（１Ｘ）内に設けられた通信・制御・処理装置（１Ｗ）の内部処理及び制御とインターフェース手段により同管理装置（１Ｘ）内に設けられた中継装置（１Ｕ）を介して外国銀行カードセンターから外銀カード番号を取り出さす為の装置である。
５Ｑは  未着及び未入力カードデータ照会信号発信装置であり、個人顧客（３）或いは法人顧客（３）の通信媒体によるトラベルカード発行申込において、所定の時間が相当経過しているにも関わらず、トラベルカード発行手続きが完了していない場合、当該顧客（３）の通信媒体端末画面に対して未着カードデータ照会信号を発信する為の、或いは  トラベルカード発行手続きが完了して、カードデリバリーとしてケータイカード入力が選定されているにも関わらず、相当時間経過してもケータイカード入力が実行されていない場合、当該顧客の通信媒体端末画面に対して未入力カードデータ照会信号等を自動的に発信する為の装置である。
【００３０】  次に  図２のトラベルカードデータ管理装置（１Ｘ）について説明する。この図は  実施の形態１において、本発明の通信媒体トラベルカード発行装置（５Ｙ）により発行されたカードデータを管理する為の管理装置及び外国銀行カードセンター間で左記カードデータのやり取りする為の中継装置を備えている。
まず（１）はカードデータの管理業務や顧客データ管理業務及び外国銀行カードセンター間でカードデータの送受信等の中継業務を行う為の国内銀行カードセンターである。
（１Ｘ）はトラベルカードデータ管理装置であり、自行カードデータ管理装置（１Ｔ）や中継装置（１Ｕ）や自行本支店及び通信媒体カードデータ管理装置（１Ｖ）及び  通信・制御・処理装置（１Ｗ）等を備えて、上記図１の通信媒体トラベルカード発行装置（５Ｙ）と共に図３のトラベルカード発行及びカードデータ管理システム（１Ｚ）を構成しているものである。
【００３１】  上記図２のトラベルカードデータ管理装置（１Ｘ）内には  １Ａ〜１Ｅの５つのファイルを格納している自行カードデータ管理装置（１Ｔ）や、１Ｆ〜１Ｊの５つのファイルを格納している中継装置（１Ｕ）や、１Ｋ〜１Ｏの５つのファイルを格納している自行本支店及び通信媒体カードデータ管理装置（１Ｖ）及び  １Ｐと１Ｑの２つの手段と１Ｒと１Ｓの２つの装置を格納している通信・制御・処理装置（１Ｗ）等を備えている。
上記トラベルカードデータ管理装置（１Ｘ）内に備えれている自行カードデータ管理装置（１Ｔ）の１Ａ〜１Ｅの５つのファイルついては  本発明の上記図１の通信媒体トラベルカード発行装置（５Ｙ）と直接の関連は無いので説明を省略する。
【００３２】  次に、トラベルカードデータ管理装置（１Ｘ）内に備えられている中継装置（１Ｕ）の１Ｆ〜１Ｊの５つのファイルについて具体的に説明する。上記装置は国内銀行本支店（２）及び通信媒体トラベルカード発行装置（５Ｙ）により発行されたトラベルカードデータを各外国銀行カードセンター別に管理する為の装置である。
１Ｆは  外銀カード番号取出信号ファイルであり、国内銀行本支店（２）及び通信媒体トラベルカード発行装置（５Ｙ）から上記中継装置を介して外銀カード番号を外国銀行カードセンターから取り出す為に発信された外銀カード番号取出信号を記録保存する為のファイルである。
１Ｇは  取出済未使用外銀カード番号一時入力ファイルであり、上記外銀カード番号取出信号によって外国銀行カードセンターから取り出した未使用外銀カード番号を、同外銀カード番号を使用して発行された外銀カードデータが国内銀行本支店（２）及び通信媒体トラベルカード発行装置（５Ｙ）から送信されて来るまで、一時入力する為のファイルである。
上記取出済未使用外銀カード番号を使用して発行承認された外銀カードデータが国内銀行本支店（２）及び通信媒体トラベルカード発行装置（５Ｙ）から送信されて来ると、このファイルにおける当該外銀カード番号の入力記録は自動的に消去される。
１Ｈは  発行承認済外銀カードデータ一時集積ファイルであり、国内銀行本支店（２）或いは顧客（３）によって通信媒体トラベルカード発行装置（５Ｙ）から送信されて来た上記取出済未使用外銀カード番号を使用して発行承認された外銀カードデータを外国銀行カードセンターに送信するまで一時入力する為のファイルである。
上記外銀カードデータが外国銀行カードセンターに送信される、と同時に  当該外銀カードデータはこのファイルから下記発行済外銀カードデータファイル（１Ｉ）に移管される、と同時に  このファイルにおける当該カードデータ入力記録は自動的に消去される。
１Ｉは  発行済外銀カードデータファイルであり、上記発行承認済外銀カードデータ一時集積ファイル（１Ｈ）に入力されて集積されている当該発行承認済外銀カードデータが外国銀行カードセンターに送信されると、同時に  当該カードデータは上記発行承認済外銀カードデータ一時集積ファイル（１Ｈ）から移管されて記録保存される。
１Ｊは  コンファメーションファイルであり、上記発行承認済外銀カードデータが外国銀行カードセンターに送信されて、外国銀行カードセンターによって受信されると、当該外国銀行カードセンターから発信されて来る当該カードデータの受信確認のコンファメーションを入力して保存する為のファイルである。
次に、トラベルカードデータ管理装置（１Ｘ）内に備えられている自行本支店及び通信媒体カードデータ管理装置（１Ｖ）について具体的に説明する。この装置は１Ｋ〜１Ｏの５つのファイルを備えており、国内銀行本支店（２）及び通信媒体トラベルカード発行装置（５Ｙ）によって発行されたカードデータを一括管理する為の装置である。
１Ｋは  外銀カード番号取出信号ファイルであり、国内銀行本支店（２）及び通信媒体トラベルカード発行装置（５Ｙ）から外銀カード番号を外国銀行カードセンターから取り出す為に発信された外銀カード番号取出信号を記録保存する為のファイルである。
１Ｌは  取出済未使用外銀カード番号一時入力ファイルであり、上記外銀カード番号取出信号によって外国銀行カードセンターから取り出した未使用外銀カード番号を、同外銀カード番号を使用して発行された外銀カードデータが国内銀行本支店（２）及び通信媒体トラベルカード発行装置（５Ｙ）から送信されて来るまで、一時入力する為のファイルである。
１Ｍは  未承認・未完成カードデータ一時入力ファイルであり、国内銀行本支店（２）で銀行員によって作成されたトラベルカードデータを銀行店舗役職のカード発行承認を貰うまでの間、或いは  通信媒体トラベルカード発行装置（５Ｙ）を介してトラベルカード発行手続きを行っている顧客（３）が  同発行装置内の外銀カード番号取出信号発信装置（５Ｐ）により外国銀行カードセンターから外銀カード番号が取り出されて来て、同外銀カード番号を使用して完成したトラベルカードデータが顧客（３）によって発行承認されるまで、上記国内銀行本支店作成の未承認カードデータと共に一時入力する為のファイルである。
１Ｎは  発行済外銀カードデータファイルであり、国内銀行本支店（２）及び通信媒体トラベルカード発行装置（５Ｙ）により発行された外銀カードデータを記録保存及び管理する為のファイルである。
１Ｏは  コンファメーションファイルであり、外国銀行カードセンターに送信されたトラベルカードデータが外国銀行カードセンターによって受信された場合、外国銀行カードセンターから発信されて来るトラベルカードデータ受信確認のコンファメーションを入力保存する為のファイルである。
【００３３】  次に、トラベルカードデータ管理装置（１Ｘ）内に備えられている通信・制御・処理装置（１Ｗ）について具体的に説明する。この装置は１Ｐ〜１Ｓの手段や装置を備えて各店舖（２）及び通信媒体トラベルカード発行装置（５Ｙ）並びにトラベルカード発行業務提携をしている外国銀行カードセンター間でカードデータに関わる通信のやり取りを行う為の装置である。
１Ｐは  インターフェース手段であり、国内銀行本支店（２）及び顧客（３）並びに業務提携外国銀行カードセンター（４）間でカードデータに関わる信号のやり取りをする為の手段である。
１Ｑは  処理手段であり、上記インターフェース手段に外部から入力されてきた信号や、内部装置から出力される信号に基づいて、内部処理及び制御を行う手段である。
１Ｒは  未着カードデータ照会信号発信装置であり、業務提携外国銀行や自行本支店によって、上記自行カードデータ管理装置（１Ｔ）内の未使用カード番号ファイル（１Ａ）からカード番号が取り出されたにも関わらず、当該取出済カード番号に関わるカードデータが所定の時間が経過しても送信されて来ない場合、当該カード番号取出銀行に対して未着カードデータ照会信号が自動的に発信される装置である。
１Ｓは  受信カードデータ確認信号発信装置であり、業務提携外国銀行が送信して来た当該外国銀行発行の邦貨建トラベルカードデータの受信確認の為のコンファメーションを発信する装置である。
【００３４】  次に、図３について説明する。この図３は国内銀行カードセンター（１）に設備されているトラベルカード発行及びカードデータ管理システム（１Ｚ）の全体図である。この図における各管理装置の各機能については図１及び図２で詳細に説明してあるので、ここでは省略する。
この図において、国内銀行カードセンター（１）には  自行カードデータ管理装置（１Ｔ）と、中継装置（１Ｕ）と、自行本支店及び通信媒体カードデータ管理装置（１Ｖ）と、通信・制御・処理装置（１Ｗ）等を備えたトラベルカードデータ管理装置（１Ｘ）、及び顧客データベース管理装置（５Ｒ）と、トラベルカード・プルダウンメニュー（５Ｓ）と、通信・制御・処理装置（５Ｔ）を備えた通信媒体トラベルカード発行装置（５Ｙ）を設けてカードデータの管理業務と外国銀行カードセンター間でカードデータのやり取りする中継業務を行う為のカード発行銀行及びカード支払銀行のカードセンターとしての機能と管理装置を構成している。
また  国内銀行本支店（２）はカード発行銀行及び自行の邦貨建トラベルカード支払い銀行として、通信・制御・処理装置（２Ｂ）及びカードプリンター（２Ｃ）等を設けてカード発行業務を行う為のカード発行装置（２Ａ）を備えている。
この図において、国内銀行と通信媒体トラベルカード発行契約を締結した顧客（３）は必要な時に  何処からでも  顧客の通信媒体から国内銀行カードセンター（１）備えられた通信媒体トラベルカード発行装置（５Ｙ）にインターネット介して直接アクセスしてトラベルカード発行手続きを行ってトラベルカードを購入して使用する。
上述のように、図３は  国内銀行カードセンター（１）に設けられたトラベルカードデータ管理装置（１Ｘ）  及び  顧客（３）が備えている通信媒体からインターネットを介して接続されている通信媒体トラベルカード発行装置（５Ｙ）に、銀行専用通信回線で接続された銀行本支店（２）に設けられたカード発行装置（２Ａ）等によりトラベルカード発行及びカードデータ管理システム（１Ｚ）の全体図を構成している。
【実施の形態２】
【００３５】  実施の形態２における図４について説明する。この図４は実施の形態１のトラベルカード発行工程におけるトラベルカード番号供給及びカードデータ管理する為のカード母体銀行・兼・カード支払い銀行としての外国銀行カードセンター（４）及び  カード発行銀行としての国内銀行カードセンター（１）と国内銀行本支店（２）  並びに  カード発行者として顧客（３）のカード発行工程を示した図である。  この図の外国銀行カードセンターに設けられているトラベルカードデータ管理装置（４Ｘ）内の自行カードデータ管理装置（４Ｔ）及び通信・制御・処理装置（４Ｗ）の２つの装置は上記図２のトラベルカードデータ管理装置（１Ｘ）内に設けられている自行カードデータ管理装置（１Ｔ）と全く同じ装置である為に、説明は省略する。
上記図４において、外国銀行の立場から見れば、逆に  国内銀行カードセンター（１）も外国銀行カードセンター（４）同様にカード母体銀行・兼・カード支払い銀行になる。
【００３６】  実施の形態２における上記図４に関わる個人顧客（３）のパソコンによるトラベルカード発行手続き工程について、各工程をＫ１；等の記号で冒頭に示して説明する。
Ｋ１；パソコン端末画面に表示されたウェブ・ブラウザーのメニュータイトルから（お気に入り）を選択して、同（お気に入り）に既にホームページと共に格納されている顧客と取引のある国内銀行カードセンター（１）をクリックして同カードセンター（１）ホームページにアクセスする。
Ｋ２；次に、パソコン画面に自動的に表示された当該国内銀行カードセンター（１）内に備えられた通信媒体トラベルカード発行装置（５Ｙ）にアクセスする為に、ログオンをクリックする。
Ｋ３；次に、パソコン画面に自動的に表示された契約者番号枠とパスワード枠に契約者番号とパスワードを入力して（実行）をクリックする。
上記の入力された契約者番号とパスワードが個人顧客データファイル（５Ｃ）に格納されている登録済当該個人顧客情報と照合されて認証される。
Ｋ４；次に、パソコン端末画面に自動的に表示されたバンキング  サービス  メニューからトラベルカードを選択して（実行）をクリックする。
【００３７】  Ｋ５；次に、パソコン端末画面に自動的に表示されたプルダウンメニュー（５Ｓ）からトラベルカード発行申込書メニュー（５Ｆ）を選択して（次へ）をクリックする。
Ｋ６；次に、パソコン端末画面に自動的に表示されたトラベルカード発行申込書メニュー（５Ｆ）の中から個人顧客トラベルカード発行申込書（邦貨決済１３）を選択して、（決定）をクリックする。
Ｋ７；次に、パソコン端末画面に自動的に表示された上記個人顧客トラベルカード発行申込書の個人顧客情報枠に自動的に表示されている登録済の当該個人顧客情報いわゆる顧客名、国籍、住所、パスポート番号、生年月日、性別、電話番号、携帯電話番号、Ｅメールアドレス、取引銀行店舗名、決済邦貨預金口座番号を確認して（確認）をクリックする。
Ｋ８；次に、パソコン端末画面に自動的に表示されている個人顧客トラベルカード発行申込書の下部に表示されたプルダウンメニュー（５Ｙ）の中から旅行目的国・通貨単位メニュー（５Ｇ）をクリックして選択項目表示欄（６４）に外国名と当該国通貨単位リストを表示する。
Ｋ９；上記Ｋ８表示の外国名と通貨単位リストから旅行目的国と当該国通貨単位を選択して（決定）をクリックする。と同時に、選択済旅行目的国と当該国通貨単位が当該個人顧客トラベルカード発行申込書の旅行目的国枠と通貨単位枠に自動的に表示される。
Ｋ１０；次に、トラベルカード発行申込書の下部に表示されたプルダウンメニュー（５Ｙ）の中から外国銀行名メニュー（５Ｈ）をクリックして選択項目表示欄（６４）に外国銀行名リストを表示する。
Ｋ１１；上記表示の外国銀行名リストから外国銀行名を選択して（決定）をクリックする。と同時に、選択済外国銀行名が当該個人顧客トラベルカード発行申込書の外国銀行名枠に自動的に表示される。
【００３８】  Ｋ１２；次に、個人顧客トラベルカード発行申込書の下部に表示されたプルダウンメニュー（５Ｙ）の中からカード金額メニュー（５Ｉ）クリックして選択項目表示欄（６４）に１，０００単位の数字を表示する。
Ｋ１３；上記表示の数字の中から数字を選択して（決定）をクリックする。と同時に、選択済数字が当該個人顧客トラベルカード発行申込書の外貨カード金額枠に自動的に表示される。
Ｋ１４；上記外貨カード金額枠にカード金額が入力されると、決済金額及び口座欄の外国為替レート枠に表示されている営業日当日の為替レートと連動して自動的に外貨カード金額の外貨邦貨換算額枠に邦貨換算額が表示され、また  カードの発行手数料は発行手数料枠と、合計金額が合計枠にそれぞれ自動的に表示される。
Ｋ１５；顧客（３）は上記トラベルカード購入合計金額を確認して決済をクリックして邦貨預金口座番号枠に表示された口座番号で決済する。  なお  口座残高不足などでトラベルカード購入合計金額が決済されない場合は  パソコン端末画面に口座残高不足のサインが出て次の工程に移れない。
【００３９】  Ｋ１６；上記トラベルカード購入合計金額が決済されると、同時に  上記Ｋ１０工程で選択された外国銀行のカードセンター（４）から外銀カード番号を取り出す為に、通信・制御・処理装置（５Ｔ）内の外銀カード番号取出信号発信装置（５Ｐ）から外銀カード番号取出信号が同装置内のインターフェース手段（５Ｍ）を通してトラベルカードデータ管理装置（１Ｘ）に送信される。次に、トラベルカードデータ管理装置（１Ｘ）内の通信・制御・処理装置（１Ｗ）内のインターフェース手段（１Ｐ）に入力されて来た当該外銀カード番号取出信号は  同装置の処理手段（１Ｑ）の内部処理と制御により、トラベルカードデータ管理装置（１Ｘ）内の中継装置（１Ｕ）を介して上記外国銀行カードセンター（４）に送信される、と同時に  当該外銀カード番号取出信号は中継装置（１Ｕ）内の外銀カード番号取出信号ファイル（１Ｆ）に入力されて記録保存される、と同時に  トラベルカードデータ管理装置（１Ｘ）内の自行本支店及び通信媒体カードデータ管理装置（１Ｖ）内の外銀カード番号取出信号ファイル（１Ｋ）に入力されて記録保存される。
【００４０】  Ｋ１７；図４表示の外国銀行カードセンター（４）に送信された上記Ｋ１５工程の外銀カード番号取出信号は  同銀行カードセンター（４）内のトラベルカードデータ管理装置（４Ｘ）内の通信・制御・処理装置（４Ｗ）内のインターフェース手段（国内銀行と同じ手段の為図示せず）を通して同装置（４Ｗ）内の処理手段（国内銀行と同じファイルの為図示せず）に入力されて同手段の内部処理と制御により、トラベルカードデータ管理装置（４Ｘ）内の自行カードデータ管理装置（４Ｔ）に設けられている未使用カード番号ファイル（国内銀行と同じファイルの為図示せず）から当該外銀カード番号を取り出す、と同時に  当該外銀カード番号は  同装置（４Ｔ）内の取出済未使用カード番号一時入力ファイル（国内銀行と同じファイルの為図示せず）に所定の時間までに当該外銀カード番号が使用されたトラベルカードデータが上記国内銀行カードセンター（１）から送信されて来るまで、一時的に入力されて記録される、と同時に  当該外銀カード番号は上記通信・制御・処理装置（４Ｗ）内の同装置の処理手段の内部処理と制御により、同装置（４Ｗ）内のインターフェース手段により上記国内銀行カードセンター（１）に送信される。    なお  上記取出済未使用カード番号が取り出されたにも関わらず、所定の時間までに当該外銀カード番号を使用したトラベルカードデータが上記国内銀行カードセンター（１）から送信されて来ない場合、同外国銀行カードセンター（４）内に設けられたトラベルカードデータ管理装置内の通信・制御・処理装置内（４Ｗ）内の処理手段（国内銀行と同じファイルの為図示せず）の内部処理と制御により、同処理装置内の未着カードデータ照会信号発信装置によって未着カードデータ照会信号が国内銀行カードセンター（１）に送信される。
【００４１】  Ｋ１８；上記外国銀行カードセンター（４）から送信されて来た取出済未使用外銀カード番号は  国内銀行カードセンター（１）内のトラベルカードデータ管理装置内の通信・制御・処理装置（１Ｗ）内のインターフェース手段（１Ｐ）を通して同装置の処理手段（１Ｑ）に送られて、次に、同処理手段（１Ｑ）の内部処理と制御により、中継装置（１Ｕ）内の取出済未使用カード番号一時入力ファイル（１Ｇ）に所定の時間までに当該外銀カード番号が使用されたトラベルカードデータが通信媒体トラベルカード発行装置（５Ｙ）から送信されて来るまで、一時的に入力されて記録される、と同時に  自行本支店及び通信媒体カードデータ管理装置（１Ｖ）内の取出済未使用カード番号一時入力ファイル（１Ｌ）に一時入力されて記録される、と同時に  上記通信・制御・処理装置（１Ｗ）内の処理手段（１Ｑ）の内部処理と制御により、インターフェース手段（１Ｐ）を通して通信媒体トラベルカード発行装置（５Ｙ）に送信される。
Ｋ１９；次に、通信媒体トラベルカード発行装置（５Ｙ）内に設けられた通信・制御・処理装置（５Ｔ）内のインターフェース手段（５Ｍ）を通して受信した上記取出済未使用外銀カード番号は  同処理装置（５Ｔ）内の処理手段（５Ｎ）の内部処理と制御により、顧客（３）のパソコン端末画面に送信されて、同画面に表示されている当該個人顧客トラベルカード発行申込書の外国銀行カード番号枠に自動的に入力されて表示される。
【００４２】  Ｋ２０；顧客（３）は  当該外国銀行カード番号を確認して、暗証番号枠にトラベルカードの暗証番号を入力する、と同時に  有効期限枠に有効期限が表示される。
Ｋ２１；次に、プルダウンメニュー（５Ｓ）に設けられているカードの種類メニュー（５Ｌ）をクリックして、選択項目表示欄（６４）同メニューに格納されている３つのカードの種類（磁気カード、ＩＣカード、ケータイカード）中から１つカード種類を選択してクリックして当該個人顧客トラベルカード発行申込書のカードの種類枠に表示する。
Ｋ２２；次に  プルダウンメニュー（５Ｓ）に設けられているカードデリバリー（５Ｊ）をクリックして、選択項目表示欄同メニューに格納されている３つのカード送達方法（取引店舗発行、外国銀行店舗発行、ケータイカード入力）の中から１つのカードデリバリーを選択してクリックして当該個人顧客トラベルカード発行申込書のカードデリバリー枠に表示する。
Ｋ２３；顧客（３）は  当該個人顧客トラベルカード発行申込書の全ての記入項目をチェックして（実行）をクリックして、顧客が上記トラベルカード発行申込書において作成したトラベルカードデータを顧客のパソコンから通信媒体トラベルカード発行装置（５Ｙ）に送信する。
Ｋ２４；顧客はトラベルカード発行手続き終了のログオフをする。
【００４３】  Ｋ２５；上記通信媒体トラベルカード発行装置（５Ｙ）に送信されて来た顧客（３）作成トラベルカードデータは  同装置内の通信・制御・処理装置（５Ｔ）内のインターフェース手段（５Ｍ）を通して処理手段（５Ｎ）に送信される、と同時に、当該トラベルカードデータは  同処理手段（５Ｎ）の内部処理と制御により、トラベルカードデータ管理装置（１Ｘ）に送信されて、同管理装置（１Ｘ）内の通信・制御・処理装置（１Ｗ）内のインターフェース手段（１Ｐ）を通して同通信・制御・処理装置（１Ｗ）内の処理手段（１Ｑ）に送信される、と同時に  同処理手段（１Ｑ）の内部処理と制御により、当該トラベルカードデータは  中継装置（１Ｕ）を介して外国銀行カードセンターに送信される。と同時に  トラベルカードデータ管理装置（１Ｔ）内の発行済外銀カードデータ記録保存ファイル（１Ｉ）と、自行本支店及び通信媒体カードデータ管理装置（１Ｖ）内の発行済外銀カードデータ記録保存ファイル（１Ｎ）にそれぞれ入力されて記録保存される、と同時に  トラベルカードデータ管理装置（１Ｔ）内の取出済未使用外銀カード番号一時入力ファイル（１Ｇ）と、自行本支店及び通信媒体カードデータ管理装置（１Ｖ）内の未承認・未完成カードデータ一時入力ファイル（１Ｍ）に外銀カード番号が外国銀行カードセンターから取り出されてトラベルカードデータ入力されて完成されるまでの間未完成カードデータとして入力されている当該未完成トラベルカードデータと、取出済未使用外銀カード番号ファイル（１Ｌ）に入力されて記録されている当該取出済未使用外銀カード番号は自動的に消去される。
なお、トラベルカードデータはトラベルカード発行申込書の発行銀行の整理番号、日付、旅行目的国、外国銀行名、外国銀行カード番号、通貨単位、外貨カード金額、有効期限、トラベルカードの暗証番号、カードユーザー・顧客名、国籍、住所、パスポート番号、生年月日、性別、携帯電話番号、Ｅメールアドレス等が英文定型化されて外国銀行カードセンターに送信される。
【００４４】  Ｋ２６；上記トラベルカードデータが上記外国銀行カードセンター（４）によって受信されると、同外国銀行カードセンター（４）内のトラベルカードデータ管理装置（４Ｘ）に設けられた通信・制御・処理手段（４Ｗ）内の受信カードデータ確認信号発信装置によりカードデータ受信確認のコンファメーション信号が国内銀行カードセンター（１）に発信される。
Ｋ２７；上記コンファメーション信号が国内銀行カードセンター（１）に設けられたトラベルカードデータ管理装置（１Ｘ）内の通信・制御・処理装置（１Ｗ）内のインターフェース手段（１Ｐ）を通して受信される、と同時に  同処理装置内の処理手段（１Ｑ）の内部処理と制御により、トラベルカードデータ管理装置（１Ｘ）内に設けられた中継装置（１Ｕ）内のコンファメーションファイル（１Ｊ）と、自行本支店及び通信媒体カードデータ管理装置（１Ｖ）内のコンファメーションファイル（１Ｏ）に入力されて保存される。
【００４５】  Ｋ２８；国内銀行カードセンター（１）は顧客（３）の当該個人顧客トラベルカード発行申込書の手続きに従って、顧客（３）が選択したカードの種類を発行して、当該カードを選択したカードデリバリーに基づいて引き渡す。
Ｋ２７・なお  上記トラベルカード発行申込手続きにおいて、相当時間が経過しているにも関わらず、Ｋ１４の決済工程からＫ２１のカードデリバリー工程までの間に、何らかの理由でカードデータの作成が遅れてカードデータが送信されて来ない場合、通信媒体トラベルカード発行装置（５Ｙ）内に備えられている通信・制御・処理装置（５Ｔ）内の未着及び未入力カードデータ照会信号発信装置（５Ｑ）により、未着カードデータ照会信号が当該顧客のパソコン端末画面に送信される。
【実施の形態３】
【００４６】  実施の形態３における法人顧客（３）のオフィス  コンピュータ（以後オフコンと称す）によるトラベルカード発行手続き工程について、各工程をＨ１；等の記号で冒頭に示して、ここでは法人顧客第三者宛トラベルカード発行申込書（外貨決済１５）について説明する。  なお  法人顧客第三者宛トラベルカード発行申込書（邦貨決済１４）カード発行工程についての説明は  上記個人顧客トラベルカード発行申込書（邦貨決済１３）とカード発行手続き工程がほぼ同じである為、省略する。
【００４７】  Ｈ１；オフコン端末画面に表示されたウェブ・ブラウザのメニュータイトルから（お気に入り）を選択して、同（お気に入り）に既にホームページと共に格納されている国内銀行カードセンター（１）をクリックして同カードセンター（１）ホームページにアクセスする。
Ｈ２；通信媒体トラベルカード発行装置（５Ｙ）にアクセスする為に、ログオンをクリックする。
Ｈ３；法人顧客データ登録申込書によって登録されたトラベルカード発行及び決済承認者の契約者番号とパスワードを入力して（実行）をクリックする。
Ｈ４；上記の入力された承認者の契約者番号とパスワードが  一時的に顧客情報照合装置（５Ｏ）に入力されて、法人顧客データファイル（５Ｄ）に格納されている登録済当該法人顧客情報と照合されて認証される。
【００４８】  Ｈ５；上記Ｈ４工程における承認者の契約者番号とパスワードが認証された後、自動的にオフコン端末画面に表示されるバンキング  サービス  メニューからトラベルカードを選択して（実行）をクリックする。
Ｈ６；次に、オフコン端末画面に自動的に表示されたプルダウンメニュー（５Ｓ）からトラベルカード発行申込書メニュー（５Ｆ）を選択して（次へ）をクリックする。
Ｈ７；オフコン端末画面に表示されたトラベルカード発行申込書メニュー（５Ｆ）の中から法人顧客第三者宛トラベルカード発行申込書（外貨決済１５）を選択して（決定）をクリックして、（次へ）をクリックする。
Ｈ８；オフコン端末画面に自動的に表示された上記法人顧客第三者宛トラベルカード発行申込書の法人顧客情報枠に自動的に表示されている登録済の当該法人顧客情報いわゆる契約会社名及び承認者名を確認する。
【００４９】  Ｈ９；次に、第三者宛トラベルカード発行手続きの為に、当該第三者が別のオフコンから第三者顧客情報いわゆる第三者顧客名、国籍、住所、パスポート番号、生年月日、性別、携帯電話番号、Ｅメールアドレス等のデータを作成して、当該第三者顧客情報を承認者のオフコン画面表示の当該法人顧客第三者宛トラベルカード発行申込書の第三者顧客情報入力枠に入力する。
Ｈ１０；次に、オフコン端末画面の当該法人顧客第三者宛トラベルカード発行申込書の第三者顧客情報枠に上記Ｈ９工程において作成された第三者顧客情報が入力されているのを確認する。
【００５０】  Ｈ１１；次に、法人顧客第三者宛トラベルカード発行申込書（外貨決済１５）下部に表示されたプルダウンメニュー（５Ｙ）の中から決済口座メニュー（５Ｊ）をクリックして選択項目表示欄に契約会社登録済の邦貨預金口座番号及び外貨預金口座番号等を表示して、外貨カード金額を決済する為の外貨預金口座番号とカード発行手数料を決済する為の邦貨預金口座番号をそれぞれクリックして、決済預金口座枠に外貨預金口座番号と邦貨預金口座番号を表示する。
Ｈ１２；その他のトラベルカード発行手続き工程については、例えば旅行目的国・通貨単位の選択からカードデリバリーの選択や未着及び未入力カードデータ照会信号の発信による最終工程まで、上記実施の形態２の個人顧客トラベルカード発行申込手続き工程と同じである為、省略する。
【実施の形態４】
【００５１】  実施の形態４における国内銀行とトラベルカード発行契約を締結した個人顧客（３）が携帯電話によるトラベルカード発行手続き工程について、各工程をＭ１；等の記号で冒頭に示してのトラベルカード発行手続き工程（図示せず）を説明する。
【００５２】  Ｍ１；個人顧客（３）は顧客の携帯電話のメニュータイトルの中からインターネット接続メニューを選択してクリックする。
Ｍ２；次に、携帯電話端末画面に自動的に表示されるプライベート  メニューを選択してクリックする。
Ｍ３；次に、携帯電話端末画面に自動的に表示される国内取引銀行名をクリックして国内銀行カードセンター（１）にアクセスする。
Ｍ４；次に、携帯電話端末画面に自動的に表示されるモバイル・バンキング  サービスメニューからサービスメニューを選択してクリックする。
【００５３】  Ｍ５；次に、携帯電話端末画面に自動的に表示されるログイン画面の契約者番号枠とログオンパスワード枠に契約者番号とログオンパスワードを入力して（実行）をクリックする、と同時に、通信媒体トラベルカード発行装置（５Ｙ）に設けられた顧客データベース管理装置（５Ｒ）にアクセスされる。  入力された上記契約者番号（３１）とログオンパスワードが一時的に顧客情報照合装置（５Ｏ）に入力されて上記顧客データベース管理装置（５Ｒ）に設けられた個人顧客データファイル（５Ｃ）に格納されている登録済の当該顧客の契約者番号とログオンパスワードと照合されて認証される。
【００５４】  Ｍ６；次に、携帯電話端末画面に自動的に表示される取引選択メニューからトラベルカードを選択して（実行）をクリックする、と同時に  国内銀行カードセンター（１）内の通信媒体トラベルカード発行装置（５Ｙ）に設けられたプルダウンメニュー（５Ｓ）に備えられているトラベルカード発行申込書メニュー（５Ｇ）アクセスされる。
Ｍ７；次に、携帯電話端末画面に自動的に表示されるトラベルカード発行申込書メニュー（５Ｇ）の中から個人顧客トラベルカード発行申込書（邦貨決済１３）を選択して（選択）をクリックする。携帯電話端末画面範囲が小さい為、選択された上記トラベルカード発行申込書の全ての情報記入項目を表示する事は出来ないので、同画面にはプルダウンメニュー（５Ｓ）の各項目単位で表示される。
また  個人顧客データファイル（５Ｃ）に登録済の当該顧客氏名、住所、決済預金口座番号等の携帯電話端末画面表示は省略される。  但し、カードセンターの通信媒体トラベルカード発行装置（５Ｙ）に設けられた顧客データベース管理装置（５Ｒ）の中では  個人顧客トラベルカード発行申込書（邦貨決済１３）の全ての情報記入項目枠に当該顧客入力情報は入力される。
Ｍ８；次に、携帯電話端末画面に自動的に表示されるプルダウンメニュー（５Ｓ）から旅行目的国・通貨単位メニュー（５Ｈ）を選択して（選択）をクリックする。
Ｍ９；次に、携帯電話端末画面に自動的に表示された旅行目的国・通貨単位メニュー（５Ｈ）の中から旅行目的国・通貨単位を選択して（決定）をクリックする。
Ｍ１０；次に、携帯電話端末画面に自動的に表示されたプルダウンメニュー（５Ｓ）から外国銀行名メニュー（５Ｉ）を選択して（選択）をクリックする。
Ｍ１１；次に、携帯電話端末画面に自動的に表示された上記Ｍ９・工程で選択された当該旅行目的国所在の外国銀行名リストから外国銀行名を選択して（決定）をクリックする。
Ｍ１２；次に、携帯電話端末画面に自動的に表示されたプルダウンメニュー（５Ｓ）からカード金額メニュー（５Ｊ）を選択して（選択）をクリックする。
Ｍ１３；次に、携帯電話端末画面に自動的に表示された１，０００単位の数字を選択して（決定）をクリックする。
Ｍ１４；次に、携帯電話端末画面に自動的に表示されたプルダウンメニュー（５Ｓ）からカード種類メニュー（５Ｌ）を選択して（選択）をクリックする。
Ｍ１５；次に、携帯電話端末画面に自動的に表示された１）磁気カード、２）ＩＣカード、３）ケータイカードの中から１つのカードの種類を選択して（決定）をクリックする。
Ｍ１６；次に、携帯電話端末画面に自動的に表示されたプルダウンメニュー（５Ｓ）からカードデリバリーメニュー（５Ｍ）を選択して（選択）をクリックする。
Ｍ１７；次に、携帯電話端末画面に自動的に表示されたカードデリバリーメニュー（５Ｍ）１）取引店舗発行、２）外国銀行店舗、３）ケータイカード入力の３種類の中から１つのカードデリバリーを選択して（決定）をクリックする。
なお  上記カードデリバリーとして３）ケータイカード入力を選択した場合は  当該顧客が個人顧客データ登録申込書により個人顧客データファイル（５Ｃ）に登録された携帯電話番号（２５）のケータイカードに入力される。
【００５５】  Ｍ１８；次に、携帯電話端末画面に自動的に表示されたカード金額決済画面に表示されている外国為替レート、外貨換算額、カード発行手数料、合計決済金額等を確認して（実行）をクリックして決済する。
Ｍ１９；上記Ｍ１８工程の合計決済金額の決済の為に（実行）がクリックされて顧客の邦貨預金口座番号で決済される、と同時に、トラベルカードに付ける外銀カード番号を取り出す為に、外銀カード番号取出信号が  通信媒体トラベルカード発行装置。
（５Ｙ）内に設けられた通信・制御・処理装置（５Ｔ）内の処理手段（５Ｎ）の内部処理と制御により、同処理装置（５Ｔ）内の外銀カード番号取出信号発信装置（５Ｐ）からインターフェース手段（５Ｍ）を通してトラベルカードデータ管理装置（１Ｘ）に送信さられて、同管理装置（１Ｘ）内に設けられた通信・制御・処理装置（１Ｗ）の内部処理と制御とインターフェース手段（１Ｐ）により同管理装置（１Ｘ）内に設けられた中継装置（１Ｕ）を介して上記Ｍ１１・工程において選定された外国銀行のカードセンター（４）に送信される。
【００５６】  Ｍ２０；上記Ｍ１９・工程の外銀カード番号取出信号よって当該外国銀行カードセンターから取り出された当該外銀カード番号は  当該外国銀行カードセンター（４）から国内銀行カードセンター（１）内に設けられたトラベルカードデータ管理装置（１Ｘ）に送信されて、さらに  同管理装置（１Ｘ）から通信媒体トラベルカード発行装置（５Ｙ）に送信されて、次に、同発行装置（５Ｙ）内に設けられた通信・制御・処理装置（５Ｔ）内に設けられた処理手段（５Ｎ）の内部処理及び制御より、顧客のケータイ端末画面に送信されて同画面の外国銀行カード番号表示枠に入力表示される。
上記取出済未使用外銀カード番号の管理工程は  上記実施の形態２の個人顧客（３）のパソコンによる国内銀行カードセンター（１）内のトラベルカードデータ管理装置（１Ｘ）及び通信媒体トラベルカード発行装置（５Ｙ）におけるトラベルカード発行手続きのＫ１５〜１８までの管理工程と全く同じである為、省略する。
【００５７】Ｍ２１；次に、携帯電話端末画面に自動的に表示された外銀カード番号を確認して（確認）をクリックする。
Ｍ２２；次に、携帯電話端末画面に自動的に表示されたカード発行手続きにおける各項目、カード名称、発行銀行名、通貨単位及び外貨カード金額、支払い外国銀行名、有効期限、カードユーザー名等のカードデータを確認して（確認）をクリックする。
この確認の時点で（誤り）を発見した場合は  （戻る）クリックして当該誤りの起した工程まで戻して訂正する。
Ｍ２３；次に、携帯電話端末画面に自動的に表示されたトラベルカード暗証番号入力枠に暗証番号を入力して（発行）をクリックする。
上記暗証番号が入力された時点で、国内銀行カードセンター（１）内のトラベルカードデータ管理装置（１Ｘ）及び通信媒体トラベルカード発行装置（５Ｙ）におけるトラベルカード発行手続きは完了して完成した個人顧客トラベルカードデータは上記２つの装置によって外国銀行カードセンター（４）に発信されて全てのトラベルカード発行手続きは完了する。
この時点間での当該トラベルカードデータの管理工程は  上記実施の形態２の個人顧客（３）のパソコン（３Ｂ）による国内銀行カードセンター（１）内のトラベルカードデータ管理装置（１Ｘ）及び通信媒体トラベルカード発行装置（５Ｙ）におけるトラベルカード発行手続きのＫ１９〜２６までの管理工程と全く同じである為、省略する。
Ｍ２４；携帯電話端末画面に表示されたロゴオフをクリックしてカード発行手続きを終了する。
【実施の形態５】
【００５８】  実施の形態５おける法人顧客第三者宛トラベルカード発行手続きにおいて、カードユーザーの第三者がカードデリバリー（５Ｌ）において（ケータイカード入力）を選択した場合のトラベルカードデータの手続き工程について各工程をＳ１；等の記号で冒頭に示して説明する。
なお  個人顧客のカードデリバリー（５Ｌ）における（ケータイカード入力）の手続き工程は第三者（１８ａ）のカードデリバリー（５Ｌ）における（ケータイカード入力）手続き工程とほぼ同じである為、ここでは説明を省略する。
【００５９】Ｓ１；第三者は  同顧客の携帯電話のメニュータイトルの中からインターネット接続メニューを選択してクリックする。
Ｓ２；次に、携帯電話端末画面に自動的に表示されるプライベート  メニューを選択してクリックする。
Ｓ３；次に、携帯電話端末画面に自動的に表示されるカード発行国内銀行名をクリックして当該国内銀行カードセンター（１）にアクセスする。
Ｓ４；次に、携帯電話端末画面に自動的に表示されるモバイル・バンキング  サービスメニューからサービスメニューを選択してクリックする。
【００６０】  Ｓ５；次に、携帯電話端末画面に自動的に表示されるログオン画面の契約番号枠及びログオンパスワード枠に第三者アクセス番号及び第三者パスワードを入力して（実行）をクリックする。  上記入力された当該第三者アクセス番号及び第三者パスワードは通信媒体トラベルカード発行装置（５Ｙ）に設けられた顧客データベース管理装置（５Ｒ）にアクセスされて、同管理装置内に設けられている通信・制御・処理装置（５Ｔ）内の顧客情報照合装置（５Ｏ）に一時入力されて上記顧客データベース管理装置（５Ｒ）内の第三者宛発行済カードデータ一時入力ファイル（５Ｅ）に入力されている第三者宛トラベルカードデータに入力されている当該第三者の第三者アクセス番号及び第三者パスワードと照合されて認証される。
【００６１】  Ｓ６；次に、携帯電話端末画面に自動的に表示される取引選択画面からトラベルカードを選択して（選択）をクリックする。
Ｓ７；次に、携帯電話端末画面に自動的に表示されるトラベルカード  サービスメニューの中から（第三者宛発行済カードデータ一時入力ファイル）をクリックする。
上記Ｓ５の工程において入力されて確認されたた当該第三者の第三者アクセス番号及び第三者パスワードに基づいて第三者宛発行済カードデータ一時入力ファイルに入力されている当該第三者宛発行されたトラベルカードデータが次工程で表示される。
Ｓ８；次に、携帯電話端末画面に自動的に表示される当該第三者宛トラベルカードデータとして英語で表示されているカード名称、発行銀行名、外貨カード金額、支払い外国銀行名、カード番号、有効期限、カードユーザー名等を確認して（確認）をクリックする。
Ｓ９；次に、携帯電話端末画面に自動的に表示されるカードデリバリーメニューの中から（ケータイカード入力）を選択して（実行）をクリックして、当該第三者宛トラベルカード発行データを上記第三者宛トラベルカード発行データに登録されている当該第三者の携帯電話番号にダウンロードして入力する。
Ｓ１０；次に、携帯電話端末画面に自動的に表示されるログオフ画面でログオフしてトラベルカードデータ入力手続きを完了する。
【図面の簡単な説明】
【００６２】
【図１】  本発明の実施の形態における顧客の通信媒体からカード発行手続きを行う為の通信媒体トラベルカード発行装置図。
【図２】  同通信媒体トラベルカード発行装置により発行されたカードデータの外国銀行カードセンター間送受信の中継装置を含むカードデータ管理装置図である
【図３】  図１の通信媒体トラベルカード発行装置及び図２のカードデータ管理装置及び銀行本支店のカード発行装置及び顧客の通信媒体等より構成されたカード発行装置及びカードデータ管理装置システム図である。
【図４】  実施の形態における国内銀行及び外国銀行のカードセンター間のトラベルカード発行・工程を示している図である。
【図５】  カードデータ作成に必要な個人顧客情報を登録する為の個人顧客データ登録申込書である。
【図６】  カードデータ作成に必要な法人顧客情報を登録する為の法人顧客データ登録申込書である。
【図７】  実施の形態における邦貨預金口座決済−プルダウンメニュー方式の個人顧客トラベルカード発行申込書である。
【図８】  実施の形態における邦貨預金口座決済−プルダウンメニュー方式の法人顧客第三者宛トラベルカード発行申込書である。
【図９】  実施の形態における外貨預金口座決済−プルダウンメニュー方式の法人顧客第三者宛トラベルカード発行申込書である。
【符号の説明】
【００６３】５Ａ  個人顧客データ登録及びトラベルカード発行契約解約書類ファイル、
５Ｂ  法人顧客データ登録・抹消・及びトラベルカード発行契約解約書類ファイル、
５Ｃ  個人顧客データファイル、  ５Ｄ  法人顧客データファイル、
５Ｅ  第三者宛発行済カードデータ一時入力ファイル、
５Ｆ  トラベルカード発行申込書メニュー、  ５Ｇ  旅行目的国・通貨単位メニュー、
５Ｈ  外国銀行名メニュー、  ５Ｉ  カード金額メニュー、  ５Ｊ  決済口座メニュー、
５Ｋ  カード種類メニュー、  ５Ｌ  カードデリバリーメニュー、
５Ｍ  インターフェース手段、  ５Ｎ  処理手段、  ５Ｏ  顧客情報照合装置、
５Ｐ  外国銀行カード番号取出信号発信装置、
５Ｑ  未着及び未入力カードデータ照会信号発信装置、
５Ｒ  顧客データベース管理装置、
５Ｓ  トラベルカードプルダウンメニュー、  ５Ｔ  通信・制御・処理手段、
５Ｙ  通信媒体トラベルカード発行装置、
【図１】
2007128473.tif 000003
【図２】
2007128473.tif 000004
【図３】
2007128473.tif 000005
【図４】
2007128473.tif 000006
【図５】
2007128473.tif 000007
【図６】
2007128473.tif 000008
【図７】
2007128473.tif 000009
【図８】
2007128473.tif 000010
【図９】
2007128473.tif 000011